(57)【要約】【課題】  収納本体等の収納体に要する取付けスペースが小さく、見映えもすっきりした扉開閉機構を提供する。【解決手段】  扉開閉機構６は、移動手段である上支持リンク７及び下支持リンク８と、付勢手段であるコイルばね１５とから主に構成されている。上支持リンク７及び下支持リンク８は平行支持リンクを構成し、収納本体２の側板５の内方面と扉３の扉取付板１０とを架け渡すように取付けられている。コイルばね１５は扉取付板１０と下支持リンク８とを架け渡すように配置され、両端部が軸１６ａ及び１６ｂを介して回動自在に取付けられている。このようにコイルばね１５が扉３の背面側に取り付けられているため、収納本体２自体に要する取付けスペースが小さくなる。また、扉３の位置にかかわらずコイルばね１５が扉３の背面側に位置するため、使用時に正面から見えずすっきりした状態となる。【選択図】        図１
2005264719.tif 000002
【特許請求の範囲】
【請求項１】
収納体の開口面に対して取付けられた扉を開閉する扉開閉機構であって、
前記収納体の内部と前記扉の背面との間に架け渡され、前記扉が前記開口面の少なくとも一部を覆う閉状態と、前記開口面から所定距離離れた開状態との間を移動自在となるように、前記扉を支持する支持手段と、
前記支持手段の前記扉の背面側の部分に取付けられ、前記扉が前記閉状態から所定量未満開いた第１の範囲にあっては、前記扉が前記閉状態へ移動するように前記支持手段を付勢し、前記扉が前記所定量を超えて開いた第２の範囲にあっては、前記扉が前記開状態へ移動するように前記支持手段を付勢する付勢手段とを備える、扉開閉機構。
【請求項２】
前記支持手段は、一対の支持リンクから構成される平行支持リンクよりなり、
前記付勢手段は、引張り状態で用いられ、その一方端部が前記支持リンクの一方に軸を介して回動自在に接続され、その他方端部が前記背面に軸を介して回動自在に取付けられるコイルばねよりなり、
前記支持リンクの前記一方における前記背面側に取付けられる軸は、前記扉本体が前記第１の範囲にあっては、前記コイルばねの軸中心を含む直線より前記背面側に位置し、前記扉本体が前記第２の範囲にあっては、前記直線より前記背面側とは反対側に位置する、請求項１記載の扉開閉機構。
【請求項３】
前記背面に固定され、前記支持リンクの前記扉側の部分の各々と、前記コイルばねの前記他方端部とが取付けられる取付部材を更に備える、請求項２記載の扉開閉機構。
【請求項４】
前記平行支持リンクは対向するように一対配置され、
前記平行支持リンクの各々の対向する少なくとも一方の支持リンクの各々に着脱自在に取付けられる一対のプレートと、
前記プレート同志を架け渡し、その軸中心と、前記少なくとも一方の支持リンクの各々において前記収納体側に取付けられる軸の軸中心とが同一直線に含まれるように前記プレートの各々に取付けられる棒体とを備える、請求項２または請求項３記載の扉開閉機構。
【請求項５】
前記支持手段は、一対の支持リンクから構成される平行支持リンクよりなり、
前記付勢手段は、押圧状態で用いられ、その一方端部が前記支持リンクの一方に軸を介して回動自在に接続され、その他方端部が前記背面に軸を介して回動自在に取付けられるガススプリングよりなり、
前記支持リンクの前記一方における前記背面側に取付けられる軸は、前記扉本体が前記第１の範囲にあっては、前記ガススプリングの軸中心を含む直線より前記背面側とは反対側に位置し、前記扉本体が前記第２の範囲にあっては、前記直線より前記背面側に位置する、請求項１記載の扉開閉機構。
【請求項６】
前記背面に固定され、前記支持リンクの前記扉側の部分の各々と、前記ガススプリングの前記他方端部とが取付けられる取付部材を更に備える、請求項５記載の扉開閉機構。
【請求項７】
前記平行支持リンクは対向するように一対配置され、
前記平行支持リンクの各々の対向する少なくとも一方の支持リンクの各々に着脱自在に取付けられる一対のプレートと、
前記プレート同志を架け渡し、その軸中心と、前記少なくとも一方の支持リンクの各々において前記収納体側に取付けられる軸の軸中心とが同一直線に含まれるように前記プレートの各々に取付けられる棒体とを備える、請求項５または請求項６記載の扉開閉機構。
【請求項８】
収納体の開口面に対して取付けられた扉を開閉する扉開閉機構であって、
前記収納体の内部と前記扉の背面との間に架け渡され、前記扉が前記開口面の少なくとも一部を覆う閉状態と、前記開口面から所定距離離れた開状態との間を移動自在となるように、前記扉を支持する支持手段と、
前記支持手段の前記扉の背面側の部分に取付けられ、前記扉が開いた状態においては、前記扉が前記開状態へ移動するように前記支持手段を付勢する付勢手段とを備える、扉開閉機構。
【発明の詳細な説明】
【技術分野】
【０００１】
この発明は扉開閉機構に関し、特に、収納装置等の開口面を覆う扉を開閉させる扉開閉機構に関するものである。
【背景技術】
【０００２】
図８は、従来の扉開閉機構を用いた収納装置の概略構成を示した正面図であり、図９は、図８で示したＩＸ−ＩＸラインの断面図である。
【０００３】
これらの図を参照して、収納装置１は、前面が開放された直方体箱形形状を有する収納本体２と、収納本体２の前面を覆うように配置された扉３と、扉３と収納本体２の側板５ａ及び５ｂとを接続する扉開閉機構５４ａ及び５４ｂとから主に構成されている。尚、収納装置１は左右対称に構成されているため、以降では収納装置１の右側部分を中心に説明する。
【０００４】
扉開閉機構５４ａは、収納本体２の側板５ａの内方面に固定された取付板９ａ上を中心に構成され、平行支持リンクを構成する上支持リンク７ａ及び下支持リンク８ａと、コイルばね５０とを主に備えている。
【０００５】
上支持リンク７ａの上方端部は、軸１３ａを介して取付板９ａに回動自在に取付けられ、下方端部は、扉３の背面に固定された扉取付板１０ａに軸１１ａを介して回動自在に取付けられている。また、下支持リンク８ａの上方端部は軸１４ａを介して取付板９ａに回動自在に取付けられ、下方端部は扉取付板１０ａに軸１２ａを介して回動自在に取付けられている。このようにして扉３と収納本体２の側板５ａとが接続されているため、取手４を持って、扉３を収納本体２の前面と平行な状態のまま、図９の実線で示した位置と二点鎖線で示した位置との間を自在に移動させることが可能である。
【０００６】
一方、コイルばね５０は、収納本体２の奥行き方向に延びるように配置され、上支持リンク７ａと取付板９ａの後方部分とを架け渡すように取付けられている。バネ５０の前方端部は、軸５１を介して上支持リンク７ａの軸１３ａの近傍に形成されたばね取付部５３に回動自在に取付けられ、後方端部は、軸５２を介して取付板９ａに回動自在に取付けられている。このバネ５０は引張り状態で使用され、上部支持リンク７ａを介して扉３を付勢するために取付けられているものである。
【０００７】
ここで、扉開閉機構５４ａによる扉の開閉動作について説明する。
【０００８】
図１０は、図９で示した扉開閉機構の拡大図である。
【０００９】
まず、扉３が収納本体２の前面を覆う閉状態にあるときには、扉開閉機構５４ａの各部は図の実線で示した位置に配置されている。このとき、コイルばね５０の前方端部の軸５１は、後方端部の軸５２と上支持リンク７ａの軸１３ａを結ぶ直線より下方に位置している。そのため、コイルばね５０の付勢力によって、上支持リンク７ａには軸１３ａを中心として図における時計回り方向のモーメントが付与されている。
【００１０】
次に、コイルばね５０による付勢力に抗して、扉３を前方に引き出すように破線で示した位置まで移動させると、コイルばね５０の軸５１もまた、上支持リンク７ａに従って、破線で示した位置まで移動する。このとき、コイルばね５０の後方端部の軸５２と、上支持リンク７ａの軸１３ａと、コイルばね５０の前方端部の軸５１とが直線上に整列するため、上支持リンク７ａはコイルばね５０によっては、軸１３ａを中心とするいずれの回転方向にも付勢されない状態となる。
【００１１】
そして、更に扉３を持ち上げるようにして二点鎖線で示した位置まで移動させると、図示しないストッパー等によって平行支持リンクの移動が停止する。扉３が破線で示した位置と二点鎖線で示した位置との間にあるときには、コイルばね５０の軸５１は、軸５２と軸１３ａとを結ぶ直線より上方に位置するため、コイルばね５０の付勢力によって、上支持リンク７ａには軸１３ａを中心として図における反時計回り方向のモーメントが付与されている。このコイルばね５０の付勢力によるモーメントの大きさは、扉３が上支持リンク７ａを自重によって回転させるモーメントの大きさよりも大きくなるように設定されている。
【００１２】
以上より、収納装置１の扉３を閉じると、扉３が収納本体２の前面へと付勢され、扉３がぴったりと閉じた状態が安定して維持される。また、収納装置１の使用時において扉３を破線で示した位置を超えて移動させると、扉３が開状態へと付勢されるため、扉３を上方へと移動させるのに要する力が軽減されて、扉３を開く操作が容易となる。また、扉３はその自重で降下せず、安定して開状態に維持されるため、使い勝手が良い。
【発明の開示】
【発明が解決しようとする課題】
【００１３】
上記のような扉開閉機構において、コイルばねは、その軸方向が収納本体の奥行き方向に延びるように取付けられているため、収納本体内部に要する扉開閉機構の取付けスペースが奥行き方向に大きくなる。すると、収納本体の奥行き方向の寸法は、扉開閉機構の奥行き方向の寸法以上に設定する必要があり、収納本体の形状や大きさがある程度制限されてしまう。
【００１４】
また、コイルばねが常に側板の内方面上に設置された状態となるため、収納本体内部の幅方向の収納スペースが実質的に減少してしまうことになる。
【００１５】
更に、扉を開いたときには、コイルばねやその取付部分が見えるため、使用時の見た目が煩雑な状態となってしまう。
【００１６】
この発明は、上記のような課題を解決するためになされたもので、収納本体等の収納体に要する取付けスペースが小さく、見映えもすっきりした扉開閉機構を提供することを目的とする。
【課題を解決するための手段】
【００１７】
上記の目的を達成するために、請求項１記載の発明は、収納体の開口面に対して取付けられた扉を開閉する扉開閉機構であって、収納体の内部と扉の背面との間に架け渡され、扉が開口面の少なくとも一部を覆う閉状態と、開口面から所定距離離れた開状態との間を移動自在となるように、扉を支持する支持手段と、支持手段の扉の背面側の部分に取付けられ、扉が閉状態から所定量未満開いた第１の範囲にあっては、扉が閉状態へ移動するように支持手段を付勢し、扉が所定量を超えて開いた第２の範囲にあっては、扉が開状態へ移動するように支持手段を付勢する付勢手段とを備えるものである。
【００１８】
このように構成すると、支持手段における背面側の部分に取付けられた付勢手段によって、扉が第１の範囲にあるときは閉じる方向へと付勢され、扉が第２の範囲にあるときには開く方向へと付勢される。
【００１９】
請求項２記載の発明は、請求項１記載の発明の構成において、支持手段は、一対の支持リンクから構成される平行支持リンクよりなり、付勢手段は、引張り状態で用いられ、その一方端部が支持リンクの一方に軸を介して回動自在に接続され、その他方端部が背面に軸を介して回動自在に取付けられるコイルばねよりなり、支持リンクの一方における背面側に取付けられる軸は、扉本体が第１の範囲にあっては、コイルばねの軸中心を含む直線より背面側に位置し、扉本体が第２の範囲にあっては、直線より背面側とは反対側に位置するものである。
【００２０】
このように構成すると、扉の移動に伴ってコイルばねの一方端部が移動することにより、支持リンクの一方に対する付勢の向きが変化する。
【００２１】
請求項３記載の発明は、請求項２記載の発明の構成において、背面に固定され、支持リンクの扉側の部分の各々と、コイルばねの他方端部とが取付けられる取付部材を更に備えるものである。
【００２２】
このように構成すると、支持リンクの各々の背面側の部分と、コイルばねの他方端部とがすべて１つの取付部材に取付けられる。
【００２３】
請求項４記載の発明は、請求項２または請求項３記載の発明の構成において、平行支持リンクは対向するように一対配置され、平行支持リンクの各々の対向する少なくとも一方の支持リンクの各々に着脱自在に取付けられる一対のプレートと、プレート同志を架け渡し、その軸中心と、少なくとも一方の支持リンクの各々において収納体側に取付けられる軸の軸中心とが同一直線に含まれるようにプレートの各々に取付けられる棒体とを備えるものである。
【００２４】
このように構成すると、棒体によって一対の平行支持リンクの動作が同期し、棒体は支持リンクの移動に伴ってその軸中心廻りに回転する。
【００２５】
請求項５記載の発明は、請求項１記載の発明の構成において、支持手段は、一対の支持リンクから構成される平行支持リンクよりなり、付勢手段は、押圧状態で用いられ、その一方端部が支持リンクの一方に軸を介して回動自在に接続され、その他方端部が背面に軸を介して回動自在に取付けられるガススプリングよりなり、支持リンクの一方における背面側に取付けられる軸は、扉本体が第１の範囲にあっては、ガススプリングの軸中心を含む直線より背面側とは反対側に位置し、扉本体が第２の範囲にあっては、直線より背面側に位置するものである。
【００２６】
このように構成すると、扉の移動に伴ってガススプリングの一方端部が移動することにより、支持リンクの一方に対する付勢の向きが変化する。
【００２７】
請求項６記載の発明は、請求項５記載の発明の構成において、背面に固定され、支持リンクの扉側の部分の各々と、ガススプリングの他方端部とが取付けられる取付部材を更に備えるものである。
【００２８】
このように構成すると、支持リンクの各々の背面側の部分と、ガススプリングの他方端部とがすべて１つの取付部材に取付けられる。
【００２９】
請求項７記載の発明は、請求項５または請求項６記載の発明の構成において、平行支持リンクは対向するように一対配置され、平行支持リンクの各々の対向する少なくとも一方の支持リンクの各々に着脱自在に取付けられる一対のプレートと、プレート同志を架け渡し、その軸中心と、少なくとも一方の支持リンクの各々において収納体側に取付けられる軸の軸中心とが同一直線に含まれるようにプレートの各々に取付けられる棒体とを備えるものである。
【００３０】
このように構成すると、棒体によって一対の平行支持リンクの動作が同期し、棒体は支持リンクの移動に伴ってその軸中心廻りに回転する。
【００３１】
請求項８記載の発明は、収納体の開口面に対して取付けられた扉を開閉する扉開閉機構であって、収納体の内部と扉の背面との間に架け渡され、扉が開口面の少なくとも一部を覆う閉状態と、開口面から所定距離離れた開状態との間を移動自在となるように、扉を支持する支持手段と、支持手段の扉の背面側の部分に取付けられ、扉が開いた状態においては、扉が開状態へ移動するように支持手段を付勢する付勢手段とを備えるものである。
【００３２】
このように構成すると、支持手段における背面側の部分に取付けられた付勢手段によって、扉は開いた状態において、更に開く方向へと付勢される。
【発明の効果】
【００３３】
以上説明したように、請求項１記載の発明は、付勢手段は、支持手段における背面側の部分に取付けられるため、収納体内部に要する付勢手段の取付けスペースが小さくなり、収納体内部を収納のために有効に利用することが可能となる。また、収納体の奥行き方向の寸法についての制限がなく、収納体を所望の形状に形成することが可能となる。更に、付勢手段は、扉の位置にかかわらず常に背面側に位置するため、使用時の外観がすっきりした状態となる。更に、扉が第１の範囲にあるときは閉じる方向へと付勢され、第２の範囲にあるときには開く方向へと付勢されるため、扉の閉状態と開状態とが共に安定して維持される。
【００３４】
請求項２記載の発明は、請求項１記載の発明の効果に加えて、扉の移動に伴ってコイルばねの一方端部が移動することにより、支持リンクの一方に対する付勢の向きが変化するため、ばねの他方端部の取付け位置によって、付勢の向きの切り替え点を容易に設定することが可能となる。
【００３５】
請求項３記載の発明は、請求項２記載の発明の効果に加えて、支持リンクの各々の背面側の部分と、コイルばねの他方端部とがすべて１つの取付部材に取付けられるため、支持リンクの各々とコイルばねとの位置関係が一定に維持され、動作が安定する。また、扉の背面への取付けが容易となる。
【００３６】
請求項４記載の発明は、請求項２または請求項３記載の発明の効果に加えて、棒体によって一対の平行支持リンクの動作が同期するため、幅方向の寸法の大きい扉に取付けた場合でも扉のねじれや揺動が抑制され、開閉動作が安定する。また、棒体は支持リンクの移動に伴ってその軸中心廻りに回転するため、扉の開閉にかかわらずその位置が一定となる。よって、収納体内部の見た目がすっきりすると共に、棒体の取付けに要するスペースが最小となる。更に、プレートは着脱自在であるため、扉開閉機構自体を変更することなく、収納体や扉の大きさに応じて一対の平行支持リンク同志の接続の有無を設定することが可能となる。
【００３７】
請求項５記載の発明は、請求項１記載の発明の効果に加えて、扉の移動に伴ってガススプリングの一方端部が移動することにより、支持リンクの一方に対する付勢の向きが変化するため、ばねの他方端部の取付け位置によって、付勢の向きの切り替え点を容易に設定することが可能となる。
【００３８】
請求項６記載の発明は、請求項５記載の発明の効果に加えて、支持リンクの各々の背面側の部分と、ガススプリングの他方端部とがすべて１つの取付部材に取付けられるため、支持リンクの各々とガススプリングとの位置関係が一定に維持され、動作が安定する。また、扉の背面への取付けが容易となる。
【００３９】
請求項７記載の発明は、請求項５または請求項６記載の発明の効果に加えて、棒体によって一対の平行支持リンクの動作が同期するため、幅方向の寸法の大きい扉に取付けた場合でも扉のねじれや揺動が抑制され、開閉動作が安定する。また、棒体は支持リンクの移動に伴ってその軸中心廻りに回転するため、扉の開閉にかかわらずその位置が一定となる。よって、収納体内部の見た目がすっきりすると共に、棒体の取付けに要するスペースが最小となる。更に、プレートは着脱自在であるため、扉開閉機構自体を変更することなく、収納体や扉の大きさに応じて一対の平行支持リンク同志の接続の有無を設定することが可能となる。
【００４０】
請求項８記載の発明は、付勢手段は、支持手段における背面側の部分に取付けられるため、収納体内部に要する付勢手段の取付けスペースが小さくなり、収納体内部を収納のために有効に利用することが可能となる。また、収納体の奥行き方向の寸法についての制限がなく、収納体を所望の形状に形成することが可能となる。更に、付勢手段は、扉の位置にかかわらず常に背面側に位置するため、使用時の外観がすっきりした状態となる。更に、扉は開いた状態において、更に開く方向へと付勢されるため、扉を開状態へと移動させるのに要する力が軽減されると共に、扉の開状態が安定して維持される。
【発明を実施するための最良の形態】
【００４１】
図１は、この発明の第１の実施の形態による扉開閉機構の概略構成を示した図であり、図２は、図１で示したＩＩ−ＩＩラインの断面図であり、図３は、図１で示したＩＩＩ−ＩＩＩラインの断面図であり、図４は図１で示したＩＶ−ＩＶラインの端面図である。
【００４２】
これらの図を参照して、収納装置１の基本的な構成は従来例で示したものとほぼ同様であり、前面が開放された箱形形状を有する収納本体２と、収納本体２の開口面の全体を覆う扉３と、収納本体２の側板５の内方面と扉３の背面とを架け渡すように取付けられた扉開閉機構６とを備えている。尚、扉３の外方面の下方部には取手４が取付けられているが、従来例と同様に扉３の開閉操作をしやすくするためのものである。
【００４３】
扉開閉機構６は、扉３が開口面を覆う閉状態と、開口面から所定距離離れた開状態との間を移動自在となるように支持する支持手段と、支持手段を付勢する付勢手段とから主に構成されている。
【００４４】
支持手段は、その上方端部の各々が上下に配置された上支持リンク７及び下支持リンク８よりなり、これらは共に平行支持リンクを構成している。上支持リンク７は、その上方端部がブッシュ２０ａとピン２２ａとを介して取付板９の凸部１９ａに回動自在に取付けられ、下方端部がブッシュ２０ｂとピン２２ｂとを介して扉取付板１０に回動自在に取付けられている。上支持リンク７には折り曲げ部１８ａ及び１８ｂによって、両端部を除く部分が収納本体２の内方側に突出するように形成されているが、これは下支持リンク８の上方端部との干渉を避けるために形成されているものである。一方、下支持リンク８についても同様に、その上方端部がブッシュ２１ａ及びピン２３ａを介して取付板９の凸部１９ｂに回動自在に取付けられ、下方端部がブッシュ２１ｂ及びピン２３ｂを介して扉取付板１０に回動自在に取付けられている。
【００４５】
尚、上支持リンク７の上方端部の取付板９への取付け部分は、図４に示すように、頭部に円盤状の皿部分を有するブッシュ２０ａを、収納本体２の内方側から上支持リンク７と凸部１９ａとを貫通させ、このブッシュ２０ａの筒部分に凸部１９ａの裏側（側板５の内方面側）からピン２２ａを挿通させた状態に構成されている。尚、上支持リンク７及び下支持リンク８の他の取付部分も同様である。このように取付けられているため、上支持リンク７及び下支持リンク８の取付部分の外観がすっきりした状態となる。
【００４６】
支持手段を構成するコイルばね１５は、引張り状態で用いられており、ほぼ垂直方向に延びるように配置され、その上方端部が軸１６ａを介して扉取付板１０に回動自在に取付けられ、その下方端部が軸１６ｂを介して下支持リンク８におけるピン２３ｂの外方部分に回動自在に取付けられている。コイルばね１５の軸１６ａ及び軸１６ｂと下支持リンク８のピン２３ｂとの位置関係は、扉３を閉じた状態において、ピン２３ｂがコイルばね１５の軸中心を含む直線より扉３の背面側に位置するように設定されている。
【００４７】
尚、取付板９上における凸部１９ａの下方には、収納本体２の内方側へと突出するようにストッパーピン１７が固定されている。このストッパーピン１７は、扉３を完全に開いた状態で下支持リンク８の必要以上の移動を停止させるために取付けられているものである。
【００４８】
ここで、上記のように構成された扉開閉機構６の動作原理について説明する。
【００４９】
再度図１に戻って、まず、コイルばね１５の両端の軸１６ａ及び１６ｂの各々に働く弾性力をそれぞれＦ１及びＦ２とする。弾性力Ｆ１及びＦ２の大きさは当然に等しく、且つ、その向きは正反対であるため、互いに打ち消し合っており、コイルばね１５の弾性力自体によって扉３が移動することはない。
【００５０】
次に、軸１６ｂに働く弾性力Ｆ２と下支持リンク８との関係についてみると、下支持リンク８の下方端部の軸２３ｂはコイルばね１５の軸中心を含む直線より前方側（図における右側）に位置している。そのため、弾性力Ｆ２は下支持リンク８に対して、ピン２３ｂを中心とする図における時計回りに回転させるモーメントＭ２を付与している。したがって、下支持リンク８にはピン２３ａを中心として時計回りの力が加わることになり、結果として、扉３は下支持リンク８を介して閉じる方向へと付勢されている。
【００５１】
一方、軸１６ａに働く弾性力Ｆ１についてみると、上支持リンク７の下方端部を扉取付板１０に取付けるためのピン２０ｂは、コイルばね１５の軸中心を含む直線に対して前方側（図における右側）に位置している。そのため、弾性力Ｆ１は扉取付板１０に、ピン２２を中心とする図における反時計回りの回転モーメントＭ１を付与している。しかしながら、扉取付板１０は、上支持リンク７と共に平行支持リンクを構成する下支持リンク８にもピン２３ｂを介して取付けられているので、ピン２２ｂを中心とする回転は規制されている。このため、軸１６ａを介して扉取付板１０に働く回転モーメントＭ１は平行支持リンクによって打ち消されて、実際には、扉３が弾性力Ｆ１によって付勢されることはない。尚、この点は平行支持リンクの特性と軸１６ａの取付け位置とによるため、扉３の位置にかかわらず同じ状態となる。
【００５２】
以上より、コイルばね１５の弾性力は、軸１６ｂを介してのみ扉３を付勢するように作用する。よって、扉３の付勢の状態は、扉３の位置に応じた下支持リンク８のピン２３ｂとコイルばね１５の軸中心との位置関係によって規定されることになる。
【００５３】
図５は、この発明の第１の実施の形態による扉開閉機構の動作の概要を示した図であり、図６は、この発明の第１の実施の形態による扉開閉機構を用いた昇降装置において、扉を開いた状態の外観を示した正面図である。
【００５４】
図５を参照して、まず、扉３が実線で示した閉状態にあるときには、上述したように、下支持リンク８の下方端部のピン２３ｂはコイルばね１５の軸中心を含む直線より扉３の背面側に配置されている。したがって、下支持リンク８にはコイルばね１５によってピン２３ｂを中心とする時計回りのモーメントが付与されているため、扉３は閉じる方向へと付勢されている。
【００５５】
次に、扉３を手前に引き出すようにして破線で示した位置まで移動させ、扉３が開口面に対して所定量開いた状態とすると、扉開閉機構６の各部は破線で示した位置に配置される。このときコイルばね１５の両端の軸１６ａ及び１６ｂと、下支持リンク８の下方端部のピン２３ｂとが直線上に整列する。そのため、コイルばね１５によっては、下支持リンク８はピン２３ｂを中心とするいずれの回転方向にも付勢されない状態となる。
【００５６】
そして、更に扉３を上方に持ち上げるように移動させると、扉３は開口面から最も外方に離れた破線の位置を経て、開口面から前上方の二点鎖線で示した位置において完全に開いた状態となる。尚、下支持リンク８がストッパーピン１７に当接することによって、扉３の必要以上の移動は阻止されている。
【００５７】
このとき、下支持リンク８の下方端部のピン２３ｂは、コイルばね１５の軸中心を含む直線に対して扉３の背面とは反対側に配置されている。そのため、コイルばね１５の付勢力によって、下支持リンク８にはピン２３ｂを中心とする図における反時計回りのモーメントが付与されている。コイルばね１５による付勢力は、平行支持リンクの性質によって、下支持リンク８をピン２３ａを中心に反時計回りに付勢するように働くため、扉３は下支持リンク８を介して開状態へと移動する方向へと付勢されている。
【００５８】
また、このコイルばね１５の付勢力は、コイルばね１５の弾性力によって下支持リンク８を反時計回りに回転させるモーメントの大きさが、扉３がその自重で下支持リンク８を時計回りに回転させるモーメントより大きくなるように設定されている。したがって、扉３は自重によって開状態から降下せず、開いた状態が安定して維持されることになる。
【００５９】
このように、扉３が閉状態（実線の位置）から所定量（破線の位置）未満開いた第１の範囲にあるときには、扉３はコイルばね１５によって下支持リンク８を介して閉状態へと移動するように付勢されている。よって、扉３が収納本体２の開口面に対してぴったりと閉じた状態が安定する。また、扉３が所定量開いた状態（破線の位置）を超えて開状態（二点鎖線の位置）までの第２の範囲にあるときには、扉３はコイルばね１５によって下支持リンク８を介して開状態へと移動するように付勢されているため、扉３を上方へと開く動作に要する力が軽減されている。そして、扉３を完全に開いた状態とすると、その自重に抗して、安定して開状態に維持することが可能となる。
【００６０】
また、図５に示すように、下支持リンク８を付勢するためのコイルばね１５は、扉３の位置にかかわらず常に扉３の背面側の位置に配置されている。そのため、昇降装置１の使用時にコイルばね１５が正面から見えてしまうことはない。特に、図６に示すように、扉３が開状態にあるときには、収納本体２内部には上支持リンク７及び下支持リンク８の上方端部の各々が見えるだけであるので、見映えがすっきりした状態となる。
【００６１】
そして、コイルばね１５は、扉取付板１０上に平行支持リンクと共に取付けられているため、収納本体２の内部に要する扉開閉機構６の取付けスペースが小さくなる。よって、収納本体２内部を収納のために有効に利用することが可能となる。また、扉開閉機構６の取付けに関し、側板５にコイルばね１５が取付けられないので、収納本体２の奥行き方向の寸法の制限が緩和され、収納本体２を所望の形状に形成することが可能となる。
【００６２】
更に、下支持リンク８に対するコイルばね１５の付勢の向きは、下支持リンク８が移動することに伴うコイルばね１５の軸１６ｂの移動によって変化する。そのため、下支持リンク８における軸１６ｂの取付け位置によって、必要に応じて扉３に対する付勢の向きを容易に設定することが可能となる。
【００６３】
更に、この実施の形態による扉開閉機構６は、上支持リンク７及び下支持リンク８の収納本体２側の部分がすべて取付板９に取付けられ、且つ扉３側の部分がすべて１つの扉取付板１０に取付けられている。このように扉開閉機構６全体を１つの部品として構成しておけば、収納装置１の製造時には、扉開閉機構６の取付けが容易になる。また、平行支持リンクとコイルばね１５との位置関係を予め設定しておけば、下支持リンク８の付勢の状態が一定となり、扉開閉機構６の動作が安定する。
【００６４】
図７は、この発明の第２の実施の形態による扉開閉機構の概略構成を示した図であって、先の図４に対応する図である。この実施の形態による扉開閉機構の基本的な構成は先の第１の実施の形態によるものと同様であるので、ここでは相違点についてのみ説明する。
【００６５】
図を参照して、この実施の形態による扉開閉機構６は、上支持リンク７の収納本体２側の部分に、プレート２５を介して棒体２６が取付けられている点が、第１の実施の形態とは異なっている。
【００６６】
プレート２５は、ピン２７ａ及び２７ｂによって上支持リンク７の内方側の面に着脱自在に取付けられている。棒体２６は、その軸中心が上支持リンク７のピン２２ａの回動中心と同一直線上となるように配置され、端部がプレート２５に固定されている。この棒体２６は、側板５と直交する方向において扉開閉機構６と対向するように取付けられた他方の扉開閉機構との間を架け渡すように配置され、他方の扉開閉機構を構成する上支持リンクにプレートを介して同様の方法で取付けられている。
【００６７】
このようにして棒体２６を取付けると、上支持リンクを介して一対の扉開閉機構における平行支持リンク同志の動作が同期するため、例えば扉３の幅方向の寸法が大きい場合でも、扉３のねじれや揺動が抑制され、扉３の開閉動作が安定する。扉３の開閉時には、棒体２６は上支持リンク７のピン２２ａを中心とする回動に従って、位置を変えることなくその軸中心廻りに回動するため、棒体２６の取付けに要するスペースは最小となり、且つ使用時における見た目にもすっきりした状態となる。
【００６８】
尚、上記の各実施の形態では、扉は収納本体の開口面の全体を覆うように取付けられているが、必ずしもこのように構成する必要はなく、扉が閉状態にあるときに開口面の少なくとも一部を覆うことができるように取付けられていれば良い。
【００６９】
また、上記の各実施の形態では、付勢手段として引張りコイルばねを使用しているが、必ずしもこのように構成する必要はなく、取付け位置を調整すれば、例えばガススプリングや圧縮コイルばね等を用いることも可能である。
【００７０】
更に、上記の各実施の形態では、台所等で使用される収納装置のはね上げ扉に扉開閉機構を適用しているが、必ずしもこのような扉に限られるものではなく、下方向や左右方向に開閉する扉や水平に配置された扉、また、収納装置以外の扉にも同様に適用することが可能である。
【００７１】
更に、上記の各実施の形態では、コイルばねの一方端部が下支持リンクに取付けられているが、必ずしもこのように構成する必要はなく、上支持リンクの扉側の部分に取付けたり、上支持リンク及び下支持リンクの各々に取付けたりしても良い。
【００７２】
更に、上記の各実施の形態では、平行支持リンクは取付板及び扉取付板を介して収納本体及び扉に取付けられているが、必ずしもこのように構成する必要はなく、取付板及び扉取付板の一方または両方を用いずに取付けても良い。また、１つの扉取付板に平行支持リンクとコイルばねを取付けずに、扉取付板を複数の部材に分割して構成しても良い。
【００７３】
更に、上記の各実施の形態では、平行支持リンクは収納本体の幅方向に対向するように一対設けられているが、必ずしもこのように構成する必要はなく、平行支持リンクは一方だけでも良い。
【００７４】
更に、上記の各実施の形態では、扉が閉状態にあるときに、扉が更に閉じる方向へと移動するように付勢手段を構成しているが、必ずしもこのように構成する必要はなく、扉が開いた状態において、扉を更に開状態へと移動させるように付勢手段を構成しても良い。例えば、扉が閉状態にあるときに、コイルばねが下支持リンクに対して中立状態、すなわち、下支持リンクの下方端部の軸がコイルばねの軸中心を含む直線上に位置するように構成しても良い。また、扉の位置にかかわらず、常に扉を開状態へと付勢するようにコイルばねを取付けておいて、扉が閉状態の近くにあっては、コイルばねによる付勢力に抗してその自重で閉じるようにしても良い。このように構成した場合でも、取付けスペースや外観の点では上記の各実施の形態と同様の効果が発揮される。また、扉を開いた状態において、扉は更に開く方向に付勢されるため、扉を開状態へと移動させるのに要する力が軽減されると共に、扉を開状態とするとその状態が安定して維持される。
【００７５】
更に、上記の第２の実施の形態では、一対の上支持リンク同志を架け渡すように棒体が取付けられているが、必ずしもこのように構成する必要はなく、下支持リンク同志を架け渡すように取付けても良い。
【００７６】
図１１は、この発明の第３の実施の形態による扉開閉機構の概略構成を示した図である。
【００７７】
図を参照して、この実施の形態は、先の第１の実施の形態による図１に対応したものであるが、付勢手段としてガススプリングを用いている点が基本的に第１の実施の形態とは異なっている。
【００７８】
収納装置１の基本的な構成は第１の実施の形態で示したものとほぼ同様であり、前面が開放された箱形形状を有する収納本体２と、収納本体２の開口面の全体を覆う扉３と、収納本体２の側板５の内方面と扉３の背面とを架け渡すように取付けられた扉開閉機構６とを備えている。尚、扉３の外方面の下方部には取手４が取付けられているが、これは扉３の開閉操作をしやすくするためのものである。
【００７９】
扉開閉機構６は、扉３が開口面を覆う閉状態と、開口面から所定距離離れた開状態との間を移動自在となるように支持する支持手段と、支持手段を付勢する付勢手段とから主に構成されている。
【００８０】
支持手段は、その上方端部の各々が上下に配置された上支持リンク７及び下支持リンク８よりなり、これらは共に平行支持リンクを構成している。上支持リンク７は、その上方端部がブッシュ２０ａとピン２２ａとを介して取付板９に回動自在に取付けられ、下方端部がブッシュ２０ｂとピン２２ｂとを介して扉取付板１０に回動自在に取付けられている。上支持リンク７は折り曲げ部１８ａ及び１８ｂによって、両端部を除く部分が収納本体２の内方側に突出するように形成されているが、これは下支持リンク８の上方端部との干渉を避けるために形成されているものである。一方、下支持リンク８についても同様に、その上方端部がブッシュ２１ａ及びピン２３ａを介して取付板９に回動自在に取付けられ、下方端部がブッシュ２１ｂ及びピン２３ｂを介して扉取付板１０に回動自在に取付けられている。
【００８１】
支持手段を構成するガススプリング３１は、押圧状態で用いられており、ほぼ垂直方向に延びるように配置され、その上方端部が軸３３ａを介して扉取付板１０に回動自在に取付けられ、その下方端部が軸３３ｂを介して下支持リンク８におけるピン２３ｂの外方部分に回動自在に取付けられている。ガススプリング３１の軸３３ａ及び軸３３ｂと下支持リンク８のピン２３ｂとの位置関係は、扉３を閉じた状態において、ピン２３ｂがガススプリング３１の軸中心を含む直線より扉３の背面側とは反対側に距離Ｌだけ離れて位置するように設定されている。
【００８２】
尚、取付板９の中央には、収納本体２の内方側へと突出するようにストッパーピン１７が固定されている。このストッパーピン１７は、扉３を完全に開いた状態で下支持リンク８の必要以上の移動を停止させるために取付けられているものである。
【００８３】
ここで、上記のように構成された扉開閉機構６の動作原理について説明する。
【００８４】
まず、ガススプリング３１の両端の軸３３ａ及び３３ｂの各々に働く押圧力をそれぞれＦ１及びＦ２とする。押圧力Ｆ１及びＦ２の大きさは当然に等しく、且つ、その向きは正反対であるため、互いに打ち消し合っており、ガススプリング３１の押圧力自体によって扉３が移動することはない。
【００８５】
次に、軸３３ｂに働く押圧力Ｆ２と下支持リンク８との関係についてみると、下支持リンク８の下方端部の軸２３ｂはガススプリング３１の軸中心を含む直線より後方側（図における左側）に位置している。そのため、押圧力Ｆ２は下支持リンク８に対して、ピン２３ｂを中心とする図における時計回りに回転させるモーメントＭ２を付与している。したがって、下支持リンク８にはピン２３ｂを中心として時計回りの力が加わることになり、結果として、扉３は下支持リンク８を介して閉じる方向へと付勢されることになる。
【００８６】
一方、軸３３ａに働く押圧力Ｆ１についてみると、上支持リンク７の下方端部を扉取付板１０に取付けるためのピン２０ｂは、ガススプリング３１の軸中心を含む直線に対して前方側（図における右側）に位置している。そのため、押圧力Ｆ１は扉取付板１０に、ピン２２ｂを中心とする図における時計回りの回転モーメントＭ１を付与している。しかしながら、扉取付板１０は、上支持リンク７と共に平行支持リンクを構成する下支持リンク８にもピン２３ｂを介して取付けられているので、ピン２２ｂを中心とする回転は規制されている。このため、軸３３ａを介して扉取付板１０に働く回転モーメントＭ１は平行支持リンクによって打ち消されて、実際には、扉３が押圧力Ｆ１によって何らかの方向に付勢されることはない。尚、この点は平行支持リンクの特性と軸３３ａの取付け位置とによるため、扉３の位置にかかわらず同じ状態となる。
【００８７】
以上により、ガススプリング３１の押圧力は、軸３３ｂを介してのみ扉３を付勢するように作用する。よって、扉３の付勢の状態は、扉３の位置に応じた下支持リンク８のピン２３ｂとガススプリング３１の軸中心との位置関係によって規定されることになる。
【００８８】
図１１は、この発明の第３の実施の形態による扉開閉機構の動作の概要を示した図である。
【００８９】
図を参照して、まず、扉３が実線で示した閉状態にあるときには、上述したように、下支持リンク８の下方端部のピン２３ｂは、ガススプリング３１の軸中心を含む直線より扉３の背面側とは反対側に配置されている。したがって、下支持リンク８にはガススプリング３１によってピン２３ｂを中心とする時計回りのモーメントが付与されているため、扉３は閉じる方向へと付勢されている。
【００９０】
次に、扉３を手前に引き出すようにして一点鎖線で示した位置まで移動させ、扉３が開口面に対して所定量開いた状態とすると、扉開閉機構６の各部は一点鎖線で示した位置に移動する。このときガススプリング３１の両端の軸３３ａ及び３３ｂと、下支持リンク８の下方端部のピン２３ｂとが直線上に整列する。そのため、ガススプリング３１によっては、下支持リンク８はピン２３ｂを中心とするいずれの回転方向にも付勢されない状態となる。
【００９１】
そして、更に扉３を上方に持ち上げるように移動させると、扉３は開口面から最も外方に離れた破線の位置を経て、開口面から前上方の二点鎖線で示した位置において完全に開いた状態となる。尚、下支持リンク８がストッパーピン１７に当接することによって、扉３の必要以上の移動は阻止されている。
【００９２】
このとき、下支持リンク８の下方端部のピン２３ｂは、ガススプリング３１の軸中心を含む直線に対して扉３の背面側に配置されている。そのため、ガススプリング３１の付勢力（押圧力）によって、下支持リンク８にはピン２３ｂを中心とする図における反時計回りのモーメントが付与されている。ガススプリング３１による付勢力は、平行支持リンクの性質によって、下支持リンク８をピン２３ｂを中心に反時計回りに付勢するように働くため、扉３は下支持リンク８を介して開状態へと移動する方向へと付勢されることになる。
【００９３】
また、このガススプリング３１の付勢力は、ガススプリング３１の押圧力によって下支持リンク８を反時計回りに回転させるモーメントの大きさが、扉３がその自重で下支持リンク８を時計回りに回転させるモーメントより大きくなるように設定されている。したがって、扉３は自重によって開状態から降下せず、開いた状態が安定して維持されることになる。この場合、この実施の形態では付勢手段としてガススプリングを採用しているので、その押圧力を調整することは容易である。又、ガススプリングは、コイルばねに比べて一般的に耐久性が高いため、開閉の頻度の高い収納装置に使用することが可能である。
【００９４】
このように、扉３が閉状態（実線の位置）から所定量（一点鎖線の位置）未満開いた第１の範囲にあるときには、扉３はガススプリング３１によって下支持リンク８を介して閉状態へと移動するように付勢されている。よって、扉３が収納本体２の開口面に対してぴったりと閉じた状態が安定する。また、扉３が所定量開いた状態（一点鎖線の位置）を超えて開状態（二点鎖線の位置）までの第２の範囲にあるときには、扉３はガススプリング３１によって下支持リンク８を介して開状態へと移動するように付勢されているため、扉３を上方へと開く動作に要する力が軽減されている。そして、扉３を完全に開いた状態とすると、その自重に抗して、安定して開状態に維持することが可能となる。
【００９５】
また、図に示すように、下支持リンク８を付勢するためのガススプリング３１は、扉３の位置にかかわらず常に扉３の背面側の位置に配置されている。そのため、昇降装置１の使用時にガススプリング３１が正面から見えてしまうことはない。
【００９６】
そして、ガススプリング３１は、扉取付板１０上に平行支持リンクと共に取付けられているため、収納本体２の内部に要する扉開閉機構６の取付けスペースが小さくなる。よって、収納本体２内部を収納のために有効に利用することが可能となる。また、扉開閉機構６の取付けに関し、側板５にガススプリング３１が取付けられないので、収納本体２の奥行き方向の寸法の制限が緩和され、収納本体２を所望の形状に形成することが可能となる。
【００９７】
更に、下支持リンク８に対するガススプリング３１の付勢の向きは、下支持リンク８が移動することに伴うガススプリング３１の軸３３ｂの移動によって変化する。そのため、下支持リンク８における軸３３ｂの取付け位置によって、必要に応じて扉３に対する付勢の向きを容易に設定することが可能となる。
【００９８】
更に、この実施の形態による扉開閉機構６は、上支持リンク７及び下支持リンク８の収納本体２側の部分がすべて取付板９（図１１参照）に取付けられ、且つ扉３側の部分がすべて１つの扉取付板１０に取付けられている。このように扉開閉機構６全体を１つの部品として構成しておけば、収納装置１の製造時には、扉開閉機構６の取付けが容易になる。また、平行支持リンクとガススプリング３１との位置関係を予め設定しておけば、下支持リンク８の付勢の状態が一定となり、扉開閉機構６の動作が安定する。
【００９９】
尚、上記の第３の実施の形態では、扉は収納本体の開口面の全体を覆うように取付けられているが、必ずしもこのように構成する必要はなく、扉が閉状態にあるときに開口面の少なくとも一部を覆うことができるように取付けられていれば良い。
【０１００】
又、上記の第３の実施の形態では、付勢手段としてガススプリングを使用しているが、これに代えて圧縮コイルばね等を用いても良いことは言うまでもない。
【０１０１】
更に、上記の第３の実施の形態では、台所等で使用される収納装置のはね上げ扉に扉開閉機構を適用しているが、必ずしもこのような扉に限られるものではなく、下方向や左右方向に開閉する扉や水平に配置された扉、また、収納装置以外の扉にも同様に適用することが可能である。
【０１０２】
更に、上記の第３の実施の形態では、ガススプリングの一方端部が下支持リンクに取付けられているが、必ずしもこのように構成する必要はなく、上支持リンクの扉側の部分に取付けたり、上支持リンク及び下支持リンクの各々に取付けたりしても良い。
【０１０３】
更に、上記の第３の実施の形態では、平行支持リンクは取付板及び扉取付板を介して収納本体及び扉に取付けられているが、必ずしもこのように構成する必要はなく、取付板及び扉取付板の一方または両方を用いずに取付けても良い。また、１つの扉取付板に平行支持リンクとガススプリングを取付けずに、扉取付板を複数の部材に分割して構成しても良い。
【０１０４】
更に、上記の第３の実施の形態では、平行支持リンクは収納本体の幅方向に対向するように一対設けられているが、必ずしもこのように構成する必要はなく、平行支持リンクは一方だけでも良い。
【０１０５】
更に、上記の第３の実施の形態では、扉が閉状態にあるときに、扉が更に閉じる方向へと移動するように付勢手段を構成しているが、必ずしもこのように構成する必要はなく、扉が開いた状態において、扉を更に開状態へと移動させるように付勢手段を構成しても良い。例えば、扉が閉状態にあるときに、ガススプリングが下支持リンクに対して中立状態、すなわち、下支持リンクの下方端部の軸がガススプリングの軸中心を含む直線上に位置するように構成しても良い。また、扉の位置にかかわらず、常に扉を開状態へと付勢するようにガススプリングを取付けておいて、扉が閉状態の近くにあっては、ガススプリングによる付勢力に抗してその自重で閉じるようにしても良い。このように構成した場合でも、取付けスペースや外観の点では上記の第３の実施の形態と同様の効果が発揮される。また、扉を開いた状態において、扉は更に開く方向に付勢されるため、扉を開状態へと移動させるのに要する力が軽減されると共に、扉を開状態とするとその状態が安定して維持される。
【０１０６】
更に、上記の第３の実施の形態では、一対の上支持リンク同志を架け渡すように棒体が取付けられていないが、第２の実施の形態のように構成したり、あるいは下支持リンク同志を架け渡すように取付けても良い。
【図面の簡単な説明】
【０１０７】
【図１】この発明の第１の実施の形態による扉開閉機構の概略構成を示した図である。
【図２】図１で示したＩＩ−ＩＩラインの断面図である。
【図３】図１で示したＩＩＩ−ＩＩＩラインの断面図である。
【図４】図１で示したＩＶ−ＩＶラインの端面図である。
【図５】この発明の第１の実施の形態による扉開閉機構の動作の概要を示した図である。
【図６】この発明の第１の実施の形態による扉開閉機構を用いた昇降装置において、扉を開いた状態の外観を示した正面図である。
【図７】この発明の第２の実施の形態による扉開閉機構の概略構成を示した図である。
【図８】従来の扉開閉機構を用いた収納装置の概略構成を示した正面図である。
【図９】図８で示したＩＸ−ＩＸラインの断面図である。
【図１０】図９で示した扉開閉機構の拡大図である。
【図１１】この発明の第３の実施の形態による扉開閉機構の概略構成を示した図である。
【図１２】この発明の第３の実施の形態による扉開閉機構の動作の概要を示した図である。
【符号の説明】
【０１０８】
２…収納本体
３…扉
５…側板
６…扉開閉機構
７…上支持リンク
８…下支持リンク
１０…扉取付板
１５…コイルばね
１６…軸
２２、２３…ピン
２５…プレート
２６…棒体
尚、各図中同一符号は同一または相当部分を示す。
【図１】
2005264719.tif 000003
【図２】
2005264719.tif 000004
【図３】
2005264719.tif 000005
【図４】
2005264719.tif 000006
【図５】
2005264719.tif 000007
【図６】
2005264719.tif 000008
【図７】
2005264719.tif 000009
【図８】
2005264719.tif 000010
【図９】
2005264719.tif 000011
【図１０】
2005264719.tif 000012
【図１１】
2005264719.tif 000013
【図１２】
2005264719.tif 000014